(57)【要約】【課題】  高品位尿素水の保管時に金属成分の取り込みを防止でき、尿素水に加水分解されない透明性、耐熱性、難燃性、耐薬品性、耐寒冷性、耐磨耗性に優れた任意の容量とすることができる小型容器を提供する。【解決方法】  金属成分を含まない可塑剤等の配合剤を使用した尿素水に加水分解されない直鎖状低密度ポリエチレン層／ポリエチレンテレフタレート層／ポリアミド層からなる多層シートを使用し、高品位尿素水を入れる内側を直鎖状低密度ポリエチレン層として、折り込み、上部に金属成分を含まない可塑剤等の配合剤を使用した尿素水に加水分解されない熱可塑性樹脂で作成されたスパウトを設置溶着し、充填後、金属成分を含まない可塑剤等の配合剤を使用した尿素水に加水分解されない熱可塑性樹脂で作成されたキャップを装着することで、高品位尿素水の保管時に金属成分の取り込みを防止でき、任意の容量とすることができるスパウト付ガセットパウチ容器を供給する。【選択図】図１
2020142855.tif 000002
【特許請求の範囲】
【請求項１】
高品位尿素水の保管、使用時に金属成分の取り込みを防止するため、金属成分を含まない可塑剤等の配合剤を使用した直鎖状低密度ポリエチレン層／ポリエチレンテレフタレート層／ポリアミド層からなる多層シートを使用し、高品位尿素水を入れる内側を直鎖状低密度ポリエチレン層として、折り込み、上部に金属成分を含まない可塑剤等の配合剤を使用した尿素水に加水分解されない熱可塑組成樹脂で作成したスパウトを設置して、溶着し、高品位尿素水の充填後金属成分を含まない可塑剤等の配合剤を使用した尿素水に加水分解されない熱可塑組成樹脂で作成したキャップを装着したスパウト付ガセットパウチ容器。
【請求項２】
多層シートの折り込みとカットの大きさを変更して、溶着することで、充填できる高品位尿素水の容量を変更することができる請求項１のスパウト付ガセットパウチ容器の製造方法。
【請求項３】
請求項１の多層シートの直鎖状低密度ポリエチレン層やポリエチレンテレフタレート層の容器の外側となる側に凹版（グラビア）印刷や凸版印刷やフレキソ印刷をした多層シートを使用したスパウト付ガセットパウチ容器。
【請求項４】
多層シートの折り込みとカットの大きさを変更して、溶着することで、充填できる高品位尿素水の容量を変更することができる請求項３のスパウト付ガセットパウチ容器の製造方法。
【発明の詳細な説明】
【技術分野】
【０００１】  本発明は、ディーゼル車の排ガス中のＮＯｘ低減のための尿素ＳＣＲシステムに使用する高品位尿素水の保管時に金属成分の取り込みを防止でき、必要に応じて容器のシート内に製品名等を印刷できる透明性、耐熱性、難燃性、耐薬品性、耐寒冷性、耐磨耗性に優れ、未使用時シート状で保管できる、任意の容量とすることができる小型容器に関する。
【背景技術】
【０００２】  尿素ＳＣＲシステムに使用する高品位尿素水は車両に搭載された尿素水用タンクに保管され、排ガスを排出するマフラー内に設置された触媒に添加して使用するが、高品位尿素水内に金属成分が含まれると触媒を痛めることから、表１に記載の品質規格が要求されており、尿素水に溶け込まない合金や金属成分を含まない可塑剤等の配合剤を使用した尿素水に加水分解されない樹脂で容器や配管等や運搬容器等を作成する必要がある。【０００３】
【表１】
2020142855.tif 000003
【０００４】  運搬容器としてローリー車等のタンクで供給する場合は、ポリエチレン製やＳＵＳ製のタンクと金属成分を含まない可塑剤等の配合剤を使用した尿素水に加水分解されない樹脂とＳＵＳ等からなるポンプと金属成分を含まない可塑剤等の配合剤を使用した尿素水に加水分解されない樹脂製またはＳＵＳ製の配管を使用することにより、金属成分の溶け込みを防止した高品位尿素水が供給され、容器で供給する場合は、金属成分を含まない可塑剤等の配合剤を使用した尿素水に加水分解されない高密度ポリエチレンやポリエチレンで作成した１，０００リットルから１，５００リットルの高密度ポリエチレン製コンテナ容器、２００リットルの高密度ポリエチレン製ドラム、２０リットルや５リットルの高密度ポリエチレン製容器、２０リットルや１０リットルの段ボール箱にいれたポリエチレン製バックとそれぞれのノズルのセットが提供され、金属成分の溶け込みを防止した高品位尿素水が供給されている。
【先行技術文献】
【特許文献】
【０００５】
【特許文献１】特開２００７−１１３４８４
【特許文献２】特開２００８−２６５８０３
【非特許文献】
【０００６】
【非特許文献１】
2020142855.tif 000004
【発明の概要】
【発明が解決しようとする課題】
【０００７】  ディーゼル車の排ガス中のＮＯｘ低減のための尿素ＳＣＲシステムはディーゼルエンジンを採用した大型トラックや大型車に採用されていたため、使用する高品位尿素水はＳＵＳ製貯蔵タンクや金属成分を含まない可塑剤等の配合剤を使用した高密度ポリエレン製コンテナ容器、高密度ポリエチレン製ドラム、高密度ポリエチレン製容器やポリエチレン製バックで供給されてきたが、近年小型ディーゼル車へも尿素ＳＣＲシステムが採用、普及しはじめたことから、２リットルや３リットルの高品位尿素水運搬容器が求められるようになってきた。２リットルや３リットルの金属成分を含まない可塑剤等の配合剤を使用した尿素水に加水分解されない高密度ポリエチレン製容器やポリエチレン製バックを作成する場合、どちらも金型を作成するコストがかかり、高密度ポリエチレン製容器の場合は作成した空容器の置き場が必要となること、ポリエチレン製バックの場合は１個や２個のポリエチレン製バックを段ボール箱に入れて運搬、販売する必要がありコストがかかるといった問題点があった。また、一般の飲料水等を入れるペットボトルは、軽量で汎用性があるが、尿素水に加水分解されるポリエチレンテレフタレート製であり、使用できないといった問題点があった。【０００８】  本発明は上記の実情に鑑みてなされたものであり、その目的は、金属成分が溶け込まず尿素水に加水分解されない透明性、耐熱性、難燃性、耐薬品性、耐寒冷性、耐磨耗性に優れ、未使用時にシート状で場所を取らず、任意の容量の容器とすることができ、高品位尿素水の充填済容器は段ボール箱にまとめて入れて運搬でき、販売時は段ボール箱が不要な小型容器を提供することにある。
【課題を解決するための手段】
【０００９】  上記課題を解決するため、本発明は、金属成分を含まない可塑剤等の配合剤を使用した直鎖状低密度ポリエチレン層／ポリエチレンテレフタレート層／ポリアミド層からなり、必要に応じてシート内に製品名等を印刷して使用し、高品位尿素水を入れる内側を直鎖状低密度ポリエチレン層として、折り込み、上部に金属成分を含まない可塑剤等の配合剤を使用した尿素水に加水分解されないポリプロピレン樹脂等の熱可塑性樹脂で作成されたスパウトを設置し、溶着した任意の容量の容器とすることができ、充填後金属成分を含まない可塑剤等の配合剤を使用した尿素水に加水分解されないポリエチレン樹脂等の熱可塑組成樹脂で作成したキャップを装着したスパウト付ガセットパウチ容器を提供することである。
【発明の効果】
【００１０】  本発明に係るスパウト付ガセットパウチ容器を用いれば、高品位尿素水の保管時に金属成分の取り込みを防止でき、必要に応じてシート内に製品名等を印刷できる透明性、耐熱性、難燃性、耐薬品性、耐寒冷性、耐磨耗性に優れ、未使用時シート状で保管でき、任意の容量の容器とすることができ、尿素水を充填した容器は段ボール箱にまとめて入れて運搬でき、販売時は段ボール箱が不要な小型容器を提供することができる。
【図面の簡単な説明】
【００１１】
【図１】キャップを装着したスパウト付ガゼットパウチ容器前図
【図２】尿素水を充填したキャップを装着したスパウト付ガゼットパウチ容器側面図
【発明を実施するための形態】
【００１２】  以下、本発明の形態を図１と図２に基づいて説明するが、本発明はこれによって何ら限定されるものではない。
【００１３】  容器に使用する多層シートであるが、容器の内側となる金属成分を含まない可塑剤等の配合剤を使用した直鎖状低密度ポリエチレンは、分子量分布や組成分布が狭いため、抽出分が少なく、柔軟性、透明性があり、高強度、シール性の優れた熱可塑性樹脂であり、厚さは１００μｍから３００μｍとなるようにする。また、多層シートの真ん中に使用するポリエチレンテレフタレートは透明度が高く、ガスバリア性、耐薬品性、耐酸性、耐アルカリ性、寸法の安定性、耐摩耗性、耐寒性、強度に優れた熱可塑性樹脂であり、厚さは１０μｍから３０μｍとなるようにする。また、多層シートの外側に使用するポリアミドは耐熱性、難燃性、耐寒冷性、耐磨耗性に優れた熱可塑性樹脂であり、厚さは１０μｍから３０μｍとなるようにする。
【００１４】  多層シートは印刷を入れない場合は、直鎖状低密度ポリエチレン、ポリエチレンテレフタレート、ポリアミドをそれぞれ加熱溶解させ、押出機でマルチマニフォールドＴダイへ押し出し３層シートを製造する方法や多層インフレーションフィルム成形機で３層シートを製造する方法があり、また、シート内へ印刷する場合、例えばポリエチレンテレフタレート層のポリアミド層側に印刷する場合は、直鎖状低密度ポリエチレン、ポリエチレンテレフタレートをそれぞれ加熱溶解させ、マルチマニフォールドＴダイへ押し出す方法や多層インフレーションフィルム成形機で２層シートを製造し、ポリエチレンテレフタレート層の外側に凹版（グラビア）印刷や凸版印刷やフレキソ印刷をし、Ｔダイまたはインフレーションで製造されたポリアミド層を、接着剤でラミネートするか、プラズマ表面処理を用いて熱ラミネートして３層シートを作成する方法がある。また、直鎖状低密度ポリエチレン、ポリエチレンテレフタレート、ポリアミドをＴダイまたはインフレーション成形機でそれぞれシートとし、ポリエチレンテレフタレート層のポリアミド層と接着する側に印刷して、接着剤でラミネートするか、プラズマ表面処理を用いて熱ラミネートして、印刷入りの３層シートを製造する方法がある。
【００１５】  また、スパウトとして使用する樹脂は金属成分を含まない可塑剤等の配合剤を使用した尿素水に加水分解されないポリプロピレン等の熱可塑性樹脂でポリアミド樹脂と簡単に溶着できるものが好ましい。また、尿素水の充填後に装着するキャップは溶着する必要がないため、金属成分を含まない可塑剤等の配合剤を使用した尿素水に加水分解されない安価なポリエチレン等で良い。
【００１６】  図１は未使用の２リットルから３リットルが入るポリエチレン製キャップ１が装着されたポリプロピレン製スパウト２付きガゼットパウチ容器を前面からみた図であり、容器の成形は多層シートを折り込んでガゼット容器状として、側面は側面溶着部３を、容器下部は容器下部溶着部４を、容器下部の左右は容器下部３角形状溶着部５を、容器上部はポリプロピレン製スパウト２を設置して容器上部及びポリプロピレン製スパウト溶着部６を、容器上部の左右は容器上部３角形状溶着部７を溶着してガゼット容器状とし、その後、ポリエチレン製キャップ１を装着する。図２は高品位尿素水８を充填後、ポリエチレン製キャップ１を装着したポリプロピレン製スパウト２付きガゼットパウチ容器を側面からみた図であり、自動充填機を使用する場合は、高品位尿素水８充填後にポリエチレン製キャップ１を取り付ける。
【００１７】  スパウト付ガゼットパウチ容器の大きさであるが２リットル容器とする場合の例としては、縦２９０ｍｍ、横１６０ｍｍ、折り込み幅１１０ｍｍとし、溶着幅９ｍｍとし、三角形状溶着部の縦横は５０〜６０ｍｍとしてカットすることで作成でき、３リットル容器とする場合の例としては、縦３２０ｍｍ、横１８０ｃｍ、折り込み幅１３０ｍｍとし、溶着幅９ｍｍとし、三角形状の縦横は６０〜７０ｍｍとしてカットすることで作成でき、上部に設置するスパウトの口径は１４ｍｍ〜１８ｍｍとして、高品位尿素水充填後はそれに合うキャップを取り付けて、作成できる。
【符号の説明】
【００１８】１      ポリエチレン製キャップ
２      ポリプロピレン製スパウト
３      側面溶着部
４      容器下部溶着部
５      容器下部３角形状溶着部
６      容器上部及びポリプロピレン製スパウト溶着部
７      容器上部３角形状溶着部
８      高品位尿素水
【図１】
2020142855.tif 000005
【図２】
2020142855.tif 000006
【手続補正書】
【提出日】令和2年2月18日(2020.2.18)
【手続補正１】
【補正対象書類名】明細書
【補正対象項目名】０００９
【補正方法】変更
【補正の内容】
【０００９】  上記課題を解決するため、本発明は、金属成分を含まない可塑剤等の配合剤を使用した直鎖状低密度ポリエチレン層／ポリエチレンテレフタレート層／ポリアミド層からなり、必要に応じてシート内に製品名等を印刷して使用し、高品位尿素水を入れる内側を直鎖状低密度ポリエチレン層として、折り込み、上部に金属成分を含まない可塑剤等の配合剤を使用した尿素水に加水分解されないポリエチレン樹脂等の熱可塑性樹脂で作成されたスパウトを設置し、溶着した任意の容量の容器とすることができ、充填後金属成分を含まない可塑剤等の配合剤を使用した尿素水に加水分解されないポリプロピレン樹脂等の熱可塑組成樹脂で作成したキャップを装着したスパウト付ガセットパウチ容器を提供することである。
【手続補正２】
【補正対象書類名】明細書
【補正対象項目名】００１５
【補正方法】変更
【補正の内容】
【００１５】  また、スパウトとして使用する樹脂は金属成分を含まない可塑剤等の配合剤を使用した尿素水に加水分解されないポリエチレン等の熱可塑性樹脂でポリアミド樹脂と簡単に溶着できるものが好ましい。また、尿素水の充填後に装着するキャップは溶着する必要がないため、金属成分を含まない可塑剤等の配合剤を使用した尿素水に加水分解されない安価なポリプロピレン等で良い。
【手続補正３】
【補正対象書類名】明細書
【補正対象項目名】００１６
【補正方法】変更
【補正の内容】
【００１６】  図１は未使用の２リットルから３リットルが入るポリプロピレン製キャップ１が装着されたポリエチレン製スパウト２付きガゼットパウチ容器を前面からみた図であり、容器の成形は多層シートを折り込んでガゼット容器状として、側面は側面溶着部３を、容器下部は容器下部溶着部４を、容器下部の左右は容器下部３角形状溶着部５を、容器上部はポリエチレン製スパウト２を設置して容器上部及びポリエチレン製スパウト溶着部６を、容器上部の左右は容器上部３角形状溶着部７を溶着してガゼット容器状とし、その後、ポリプロピレン製キャップ１を装着する。図２は高品位尿素水８を充填後、ポリプロピレン製キャップ１を装着したポリエチレン製スパウト２付きガゼットパウチ容器を側面からみた図であり、自動充填機を使用する場合は、高品位尿素水８充填後にポリプロピレン製キャップ１を取り付ける。
【手続補正４】
【補正対象書類名】明細書
【補正対象項目名】００１８
【補正方法】変更
【補正の内容】
【００１８】１      ポリプロピレン製キャップ
２      ポリエチレン製スパウト
３      側面溶着部
４      容器下部溶着部
５      容器下部３角形状溶着部
６      容器上部及びポリエチレン製スパウト溶着部
７      容器上部３角形状溶着部
８      高品位尿素水